(57)【要約】【課題】キャップの外側に内容物が付着せず内容物を汚染しないで、清潔且つ衛生的な状態で何回でもキャップオープナーとしての役割を果たせて、キャップ付容器の利便性を常時保持できるキャップ開栓兼用カップを提供する。【解決手段】容器２に螺着したキャップ３の外径Ｒ１よりも大の外径Ｒ２を有するカップ４に糸尻５を設け、この糸尻５の内面５ａにキャップ３の開栓用止め部６を設けてなり、キャップ３にカップ４の糸尻５を被せ、カップ４を手指でつかみ開栓方向に回すことにより、容器２からキャップ３を開栓できるようにすることで、キャップより径の大きいカップで開栓するから、力の弱い子供や老人、女性であっても開栓が容易であることに加え、キャップの外側に内容物が付着したり、内容物を汚染しないから、清潔且つ衛生的な状態で何回でもキャップオープナーとしての役割を果たし、容器の利便性を常に保持できる。【選択図】      図４
2004217273.tif 000002
【特許請求の範囲】
【請求項１】
カップ底部に糸尻を有するキャップ開栓兼用カップであって、該糸尻の内周には、容器のキャップ外周のローレットに、少なくとも２点で接する係合部を設けたことを特徴とするキャップ開栓兼用カップ。
【請求項２】
前記カップの開口部内周には、容器の肩部に着脱自在に係合可能な係合部を形成した請求項１記載のキャップ開栓兼用カップ。
【請求項３】
前記カップの開口部に補強部を設けた請求項１または２記載のキャップ開栓兼用カップ。
【請求項４】
前記カップの外周面に前記キャップの開栓用すべり止めを設けた請求項１ないし３のいずれか１項記載のキャップ開栓兼用カップ。
【請求項５】
前記開栓用すべり止めは、前記カップの外周面の少なくとも一部が多角面形状である請求項１ないし４のいずれか１項記載のキャップ開栓兼用カップ。
【請求項６】
外周にローレットを有するキャップを螺着した容器と、該容器の肩部に着脱自在に係合可能なカップの開口部を被せたカップ付き容器であって、該カップ底部には、該キャップ外周のローレットに、少なくとも２点で接する係合部を内周に設けた糸尻を有することを特徴とするキャップ開栓兼用カップ付き容器。
【発明の詳細な説明】
【０００１】
【発明の属する技術分野】
本発明は、容器のキャップの開栓を容易にするキャップ開栓兼用カップならびに該カップ付き容器に関し、より詳しくは、キャップの開栓を、該カップの糸尻内面に形成したキャップの外周のローレットと接する係合部の作用によってキャップを開栓しやすくした開栓兼用カップならびに該カップ付き容器に関する。
【０００２】
【従来の技術】
飲食物用の容器のキャップは、第一義的に容器内の内容物である飲食物の漏れや菌類や異物の侵入を防ぎ、飲食物の変質を防止するものであるから、容器の口部に強固に螺着し、緩みや隙間が生じないようにする必要がある。そして、このキャップは、タンパーエビデント特性、すなわち、内容物に対する不正防止特性を有するものが主流となっている。このピルファープルーフ特性を有するキャップは、キャップ本体を開栓方向に回して、複数のブリッジを破断してリング体から離脱させないと、容器を開栓することが出来ず、キャップ本体がリング体から離脱していることは、キャップが既に開栓していることを示し、これでピルファープルーフ特性を担保している。このキャップは、更にキャップ本体を回して容器の口部から外すことで完全に開栓し、容器の内容物を利用することが出来、その内容物が残留している場合、再び容器の口部にキャップを螺着すれば、容器を閉栓することが出来るものである。
【０００３】
ところで、このキャップの複数のブリッジは、タンパーエビデント特性を具現化する意味で、通常それぞれ一定の破断強度が付与されており、また、シール部の密着性を解除する必要があるため、ある程度の力でキャップ本体を手指で開栓方向に回さないと、開けることができないようになっている。したがって、このキャップは、元々力の弱い子供や老人、女性にとり、開栓することは必ずしも容易ではなく、特に手指が濡れているような場合は、比較的力の強い男性でも開栓しづらく、上記の子供や老人、女性では開栓できないこともある。また、キャップの開栓後でも、容器内に内容物が残っている場合は再びキャップを閉栓するが、内容物の漏れを防ぐ意味で強く閉栓することが多く、このような場合も力の弱い子供や老人、女性にとり、キャップを開栓することは容易でない。
【０００４】
このような状況から、キャップを容易に開栓する工夫が種々なされている。この工夫の中で、図１０に示すように、キャップの開栓具とカップとを兼用したものが知られている（特開２００２−８７４９５号公報）。すなわち、このペットボトルのキャップオープナーａは、飲用カップｂの底の中央に円形壁ｃを一体的に立ち上げ、この円形壁ｃの内径をペットボトルｄのキャップｅの外径よりもわずかに縮径させて、キャップｅの挿入用の空所ｆとしてなるものである。開栓時に、ペットボトルｄのキャップｅをキャップオープナーａの挿入用の空所ｆに挿入し、飲用カップｂの外周面を手指にてつかみ開栓方向に回すことにより、ペットボトルｄからキャップｅを外すものである。これは飲用カップｂの外径とキャップｅの外径との差により、すなわち、飲用カップｂの外径がキャップｅの外径よりも大きいことにより、わずかな力でキャップｅを開栓するものである。
【０００５】
更に、キャップの開栓具とカップとを兼用したものとして、図１１に示すようなものが知られている（特開２００２−８７４９６号公報）。このペットボトルのキャップオープナーａ１は、ペットボトルのキャップよりもわずかに縮径させてキャップの挿入用の空所ｆとした円形内筒ｇの外側に、外筒ｈを一体的に形成し、円形内筒ｇにその円周の２／３程度の水平スリットｉを設けてなるものである。開栓時に、ペットボトルのキャップを円形内筒ｇの挿入用の空所ｆに挿入し、外筒ｈの外周面を手指にてつかみ開栓方向に回すことにより、ペットボトルからキャップを外すものである。これは上記の例と同様に外筒ｈの外径がキャップの外径よりも大きいことにより、わずかな力でキャップを開栓するものである。そして、円形内筒ｇの水平スリットｉにより、これより下の円形内筒ｇがリング状となって、円形内筒ｇにキャップを挿入した時点で、円形内筒ｇがキャップに対して傾くと、リング状円形内筒ｇ１の形状が変形し、この変形によりリング状円形内筒ｇ１がキャップを締め付け、キャップからリング状円形内筒ｇ１が抜けず、したがって、このキャップオープナーａ１は、ペットボトルからキャップを確実に外すことができるようにしたものである。
【０００６】
【発明が解決しようとする課題】
上記したキャップの開栓具と兼用のカップであるキャップオープナーａは、飲用カップｂ内の円形壁ｃ内をペットボトルｄのキャップｅの挿入用の空所ｆとしているから、開栓時に、キャップｅをキャップオープナーａの空所ｆに挿入し、飲用カップｂの外周面を手指にてつかみ開栓方向に回すことにより、ペットボトルｄからキャップｅを外す必要がある。したがって、キャップオープナーａがペットボトルｄ及びキャップｅに被さった状態で販売され、ペットボトルｄの内容物の利用に際し、キャップオープナーａを使用してキャップｅを外し、飲用カップｂ内に内容物を注ぎ、ペットボトルｄの内容物をすべて利用し切った場合は、仮に空所ｆにキャップｅを残したままでも、飲用カップｂ内に内容物が多少残留する可能性があるにしても、特に問題が生じない。
【０００７】
しかしながら、ペットボトルｄの利便性は、内容物が残っても、キャップｅをすることにより保管が容易にできることにあるから、キャップオープナーａを使用してキャップｅを外したあと、空所ｆからキャップｅを外し、飲用カップｂ内に内容物を注ぎ飲用したあと、ペットボトルｄにキャップｅをすることになる。ところが、キャップオープナーａの再使用の際、内容物が付着している飲用カップｂ内の空所ｆに手指が触れたキャップｅを挿入することになるから、不衛生となりキャップｅに内容物が付着して、以後のキャップｅの利用がはばかれ、飲用カップｂとしての利用価値が残るものの、キャップオープナーａとしての利用価値が無くなり、ペットボトルｄの利便性を減殺する結果となる。
【０００８】
上記したキャップオープナーａ１も、上述のキャップオープナーａとほぼ同様のことが言え、逆に、円形内筒ｇのリング状円形内筒ｇ１がキャップに対して傾くことにより変形して、キャップを締め付けるから、キャップオープナーａ１からキャップが抜けづらくなり、なお一層以後のキャップの利用がはばかれる。したがって、上記と同様に、外筒ｈの飲用カップとしての利用価値が残るものの、キャップオープナーａ１としての利用価値は無くなり、ペットボトルの利便性を減殺する結果となる。
【０００９】
ペットボトルｄのキャップｅは、すでに述べたように、タンパーエビデント特性を有すると、有しないとにかかわらず、第一義的に容器内の飲食物の漏れや菌類や異物の侵入を防ぎ、飲食物の変質を防止するものであるから、容器の口部に常に強固に螺着し、緩みや隙間が生じないようにする必要がある。したがって、上記した公報例は、いずれも事実上キャップオープナーａまたはａ１が初回使用の使い切りであり、ペットボトルｄの利便性を減殺し、再度キャップオープナーとしての役割を果たしずらいものである。
【００１０】
そこで、本発明の目的は、キャップの外側に内容物が付着したり、内容物を汚染したりすることが無く衛生的であり、清潔且つ衛生的な状態で何回でもキャップオープナーとしての役割を果たすことができ、ペットボトルなどの容器の利便性を常に保持できるキャップ開栓兼用カップを提供することにある。
【００１１】
【課題を解決するための手段】
本発明は、上記目的を達成するために提案されたものであって、下記の構成からなることを特徴とするものである。
すなわち、本発明によれば、カップ底部に糸尻を有するキャップ開栓兼用カップであって、該糸尻の内周には、容器のキャップ外周のローレットに、少なくとも２点で接する係合部を設けたことを特徴とするキャップ開栓兼用カップが提供される。
【００１２】
また、本発明によれば、前記カップの開口部内周には、容器の肩部に着脱自在に係合可能な係合部を形成した上記キャップ開栓兼用カップが提供される。
【００１３】
また、本発明によれば、前記カップの開口部に補強部を設けた上記のキャップ開栓兼用カップが提供される。
【００１４】
また、本発明によれば、前記カップの外周面に前記キャップの開栓用すべり止めを設けた上記キャップ開栓兼用カップが提供される。
【００１５】
また、本発明によれば、前記開栓用すべり止めは、前記カップの外周面の少なくとも一部が多角面形状である上記のキャップ開栓兼用カップが提供される。
【００１６】
また、本発明によれば、外周にローレットを有するキャップを螺着した容器と、該容器の肩部に着脱自在に係合可能なカップの開口部を被せたカップ付き容器であって、該カップ底部には、該キャップ外周のローレットに、少なくとも２点で接する係合部を内周に設けた糸尻を有することを特徴とするキャップ開栓兼用カップ付き容器が提供される。
【００１７】
【発明の実施の形態】
以下に、図面を参照して本発明の実施の形態を説明する。
図１は本発明の実施の形態を示すキャップ開栓兼用カップをキャップ付の容器に装着した状態の断面図、図２は図１のキャップ開栓兼用カップの半裁断面図、図３は図１のキャップ開栓兼用カップの裏面図である。図において、キャップ開栓兼用カップ１は、容器２に螺着したキャップ３の外径Ｒ１よりも大の外径Ｒ２（Ｒ１＜Ｒ２）を有するカップ４に糸尻５を設け、この糸尻５の内面５ａにキャップ３のローレットに接する係合部６を設けてなり、キャップ３にカップ４の糸尻５を被せ、カップ４を手指でつかみ開栓方向に回すことにより、容器２からキャップ３を開栓できるようにしたものである。そして、このキャップ開栓兼用カップ１は、通常、容器２内に内容液が充填された後、その口部７や肩部８に装着されることで、最終製品の一部をなすものである。
【００１８】
前記容器２は、その口部７にキャップ３を螺着でき、肩部８にキャップ開栓兼用カップ１を着脱自在に装着できるものであれば、形状・材質ともに特に限定がない。最も一般的なのは、ペットボトルであり、最近では樹脂製のキャップ付ボトルである。
【００１９】
前記キャップ３は、容器２の口部７に螺着できるものであれば、形状・材質ともに特に限定がない。いずれにしても、キャップ３は、容器２の口部７に対する螺着性及び密封性を充足すると共に、その開栓はキャップ３の外周面を手指で持ち開栓方向に回すことで行うから、通常外周面に開栓を補佐するためのすべり止めとしてローレット１０が設けられている。このローレットは、キャッピングを確実に行うための機能をも併せ備えている。
特に、キャップ３にタンパーエビデント特性を付与している場合は、その脆弱部（図示せず）を破断してリング体１１から分離する必要があるため、手指で強く開栓方向に回さなければならず、その開栓力とローレット１０のすべり止め作用とが重要な意味を持つ。したがって、上記の開栓力に関しては、カップ４の外径Ｒ２がキャップ３の外径Ｒ１よりも大きいことが重要であり、更に、キャップ３のローレット１０に関しては、カップ４にキャップ３が回転不可に密着することが重要となる。
【００２０】
前記キャップ開栓兼用カップ１の前記カップ４は、キャップ３の外径Ｒ１よりも大の外径Ｒ２（Ｒ１＜Ｒ２）を有する口広の筒体１２に底板１３を取り付け、カップ４の底板１３にキャップ開栓機能を保持させた前記糸尻５を設けた形状をなすものである。このキャップ開栓機能は、糸尻５の内面５ａに設けたローレットに接する係合部６を有している。この係合部６はキャップ３外周のローレットと接し回転不可に密着するものであれば良く特に限定がないが、キャップ３のローレット１０の形状に対応するものとし、少なくとも２箇所でローレットに接するように形成する必要がある。この実施形態では、開栓用係合部６はキャップ３のローレットと同ピッチで、約５０度ごとに約７０度巾で３箇所設けて構成している。キャップ３にカップ４の糸尻５を被せると、キャップ３のローレットにカップ４の係合部が咬合し、カップ４を開栓方向に回せばキャップ３を容器２の口部７から容易に開栓することができる。
【００２１】
また、カップ４の筒体１２の開口部内周面にはボトル肩部に対する係合部１４が設けられていることが好ましく、これによって、キャップ３により閉栓している容器２に着脱自在とし、キャップ開栓兼用カップ１が容器２の口部７や肩部８に装着され、最終製品の一部をなすことを可能にしている。この係合部１４は、キャップ開栓兼用カップ１を容器２に装着することができれば良く特に限定がないが、容器２の肩部８の形状に相応したものとする必要があり、容器２の口部７や肩部８の周辺に図１に示すような凹み１５が形成されていることが好ましい。この実施形態では、容器２の肩部８の凹み１５に着脱自在にするために、係合部１４は、３０度ごとに３０度巾の長さを有する凸条１６を６箇所設けて構成し、容器６の肩部８にキャップ開栓兼用カップ１をあてがい押せば、係合部１４の凸条１６が容器２の凹み１５に嵌り、係合することが可能となり、容器６からキャップ開栓兼用カップ１を引けば、容器２から容易に外すことができる。
【００２２】
また、カップ４の筒体１２の開口部外周面には補強部１７が設けられ強度を増して、キャップ開栓兼用カップ１によりキャップ３を開栓する際、並びに容器２に着脱する際手指による力がかかっても、それに耐えうる強度としている。この補強部１７は、特にキャップ３を開栓する際の力に耐えれば良く、形状及びその位置に限定がないが、キャップ開栓兼用カップ１のデザイン性にマッチしたものとすることが好ましい。この実施形態では、キャップ開栓兼用カップ１のデザイン性に配慮して、補強部１７は筒体１２の開口端部を丸みを付けた肉厚としている。このため、キャップ２を開栓する際並びに容器２に着脱する際のいずれでも、補強部１７によりそれ単独で、あるいは前記係合部１４の凸条１６との協同でも充分な強度が保持できる。
【００２３】
更に、カップ４の筒体１２の外周面に摩擦を高めるための開栓用すべり止め２０を設け、キャップ３を開栓する際並びに容器２に着脱する際のいずれでも、充分なすべり止め効果を付与している。この開栓用すべり止め２０は、キャップ３の開栓時及び容器２に対する着脱時にすべり止めできれば良く、形状及び材質などに特に限定がないが、開栓用すべり止め２０によりキャップ開栓兼用カップ１のデザイン性を向上させることができればなおのこと好ましい。この実施形態では、カップ４の筒体１２の外周面に細かい凹凸２１を帯状に設けて摩擦を高めて、開栓用すべり止め２０としている。すなわち、このカップ４は、材質面で特に限定はないが、通常ポリエチレン、ポリプロピレンなどのポリオレフィン系の熱可塑性樹脂にて構成され、表面が滑らかであるとすべりやすく、そのために外周面に細かい凹凸を設けて表面を粗くし摩擦を高めたものである。
【００２４】
また、開栓用すべり止め２０は、図５ないし７に示すようなカップ４の筒体１２の外周面の一部を多角面形状２２として、すべり止め効果を付与しても良い。このようにすることで、全体としてキャップ開栓兼用カップ１のデザイン性を向上させることができる。
【００２５】
そして、カップ４の筒体１２は、強度面から上記のようなポリオレフィン系の熱可塑性樹脂の硬質材にて構成する必要があるが、開栓用すべり止め２０は、手指による開栓時にすべり止めができれば良く、より摩擦度の高いものであることが好ましい。この開栓用すべり止め２０は、硬質材とした場合には上述のように形状により摩擦係数を高めなければならず、これに対して軟質材は通常硬質材に比べて摩擦度が高いから、すべり止めとしては好都合である。したがって、前記帯状の凹凸２１あるいは前記多角面形状２２の代わりに、カップ４の筒体１２の外周面に軟質材を帯状に巻いても良い。この軟質材としては、熱可塑性エラストマーが好ましく用いられ、特にオレフィン系樹脂エラストマーが好ましく用いられる。このオレフィン系樹脂エラストマーを例示すると、熱可塑性スチレン−イソプレン−スチレンブロック共重合体、エチレン−プロピレンゴム、エチレン−プロピレンゴム−非共役ジエン・ゴムなどである。
【００２６】
次に、上記構成になるキャップ開栓兼用カップ１の好ましい利用形態について説明する。
まず、容器２内に内容液を充填し終わったら、容器２の口部７にキャップ２を螺着し、容器２の肩部８にキャップ開栓兼用カップ１の開口部をあてがい押して、係合部１４の凸条１６を容器２の凹み１５に嵌めて係合し、必要に応じて包装をして最終製品とする。この最終製品がユーザーに渡り消費されるが、ユーザーは消費に際して、まず、包装を取り容器２からキャップ開栓兼用カップ１を外す。次に、容器２のキャップ３にキャップ開栓兼用カップ１の糸尻５を被せ、キャップ３のローレット１０に糸尻５内の開栓用係合部６のナールを咬合させ、キャップ開栓兼用カップ１を手指にてつかみ開栓方向に回せば、キャップ３の脆弱部を破断し容器２の口部７から容易に開栓することができる。
【００２７】
従って、ユーザーが、力の弱い子供や老人、女性であっても、容器２の口部７からキャップ３を容易に開栓し、容器２の内容液をキャップ開栓兼用カップ１に注いで利用出来る、しかも糸尻５を利用するからキャップ３の外側に内容物が付着したり、一度手で触れたキャップがキャップ開栓兼用カップ１内に入れたり出したりすることが無く、キャップ開栓兼用カップ１内や内容物を汚染することがない。そして、内容液の全部を飲み切れない場合は、容器２の口部７にキャップ３を螺着し、容器２を密封できる。この際、容器２にキャップ３を強く螺着しても、上記と同じようにして、容器２からキャップ３を清潔且つ衛生的な状態で何回でもキャップオープナーとしての役割を果たすことができる。
【００２８】
図８、９は本発明の他の実施形態を示すもので、このキャップ開栓兼用カップ１ａと、図１ないし４及び図５ないし７の実施形態との相違点は、カップ４の  底板１３ａが筒体１２側に底上げされ、相対的に糸尻５の高さ寸法を低くしている点にある。このようにすることにより、キャップ開栓兼用カップ１ａのカップとしての安定性を高め且つ糸尻５内の開栓用係合部６の機能を十分に確保してキャップオープナーとしての役割を全うすることができるようにしている。その他の構成、作用は図１ないし４及び図５ないし７の実施形態と同様なので、図面に符号を付してその説明を省略する。
【００２９】
以上、本発明の実施形態を説明したが、具体的な構成はこれに限定されず、本発明の要旨を逸脱しない範囲での変更は適宜なし得るものと理解されるべきである。
【００３０】
【発明の効果】
以上詳述したように、本発明によれば、容器に螺着したキャップにカップの糸尻を被せ、キャップのローレットに糸尻の係合部を当接させ、カップを開栓方向に回せば、キャップを直接開栓するより径が大きい分、弱い力でも容器からキャップを開栓することができる。従って、ユーザーが力の弱い子供や老人、女性であっても開栓が容易であることに加え、キャップの外側に内容液が付着したり、内容液を汚染したりすることが無く衛生的であり、清潔且つ衛生的な状態で何回でもキャップオープナーとしての役割を果たすことができるとともに、容器口部に直接口を付けることなく、カップに内容液を開けて飲むことができるというペットボトルなどの容器の利便性を常に保持できる効果がある。
また、カップの開口部補強部を設けることによりカップの強度を高め、キャップの開栓時にカップの変形や破損を無くすことができる。
【図面の簡単な説明】
【図１】本発明の実施の形態を示すキャップ開栓兼用カップをキャップ付の容器に装着した状態の断面図である。
【図２】図１のキャップ開栓兼用カップの半裁断面図である。
【図３】図１のキャップ開栓兼用カップの裏面図である。
【図４】図１のキャップ開栓兼用カップにより容器からキャップを開栓する状態の一部を断面した側面図である。
【図５】本発明の実施の形態を示す他形状のキャップ開栓兼用カップの半裁断面図である。
【図６】図５のＶＩ−ＶＩに沿う断面図である。
【図７】図５のキャップ開栓兼用カップの裏面図である。
【図８】本発明の他の実施の形態を示すキャップ開栓兼用カップの半裁断面図である。
【図９】図８のキャップ開栓兼用カップの裏面図である。
【図１０】従来例の断面図である。
【図１１】他の従来例の断面図である。
【符号の説明】
１，１ａ                  キャップ開栓兼用カップ
２                        容器
３，ｅ                    キャップ
４                        カップ
５                        糸尻
５ａ                      内面
６                        係合部
７                        口部
８                        肩部
１０                      ローレット
１１                      リング体
１２                      筒体
１３，１３ａ              底板
１４                      係合部
１５                      凹み
１６                      凸条
１７                      補強部
２０                      開栓用すべり止め
２１                      凹凸
２２，３２                多角面形状
ａ，ａ１                  キャップオープナー
ｂ                        飲用カップ
ｃ                        円形壁
ｄ                        ペットボトル
ｆ                        空所
ｇ                        円形円筒
ｇ１                      リング状円形円筒
ｈ                        外筒
ｉ                        水平スリット
【図１】
2004217273.tif 000003
【図２】
2004217273.tif 000004
【図３】
2004217273.tif 000005
【図４】
2004217273.tif 000006
【図５】
2004217273.tif 000007
【図６】
2004217273.tif 000008
【図７】
2004217273.tif 000009
【図８】
2004217273.tif 000010
【図９】
2004217273.tif 000011
【図１０】
2004217273.tif 000012
【図１１】
2004217273.tif 000013